(57)【要約】【課題】  長年に亘って優れた強度を維持することができるとともに振動や衝撃の吸収が可能であって、耐震性に非常に優れ、しかも高さ調節が容易であって設置作業の効率を大幅に高めることができるとともに、住宅の経時的劣化にも対応することができる金属製床束およびこの床束を備えた住宅の歪み検知システムを提供すること。【解決手段】  垂直に立設される筒状の基部と、該基部内に上下動可能に挿通される棒状の可動部と、該可動部の上方に設けられて大引きを下方から支持する支持部と、前記可動部を前記基部に対して所定高さ位置で固定する固定手段とから構成され、前記支持部は上端部に大引きの下面に当接する平面部を有する受け部材と、該受け部材と前記可動部との間に介装されるスプリングを備えてなる金属製床束とする。【選択図】  図１
2005155037.tif 000002
【特許請求の範囲】
【請求項１】
垂直に立設される筒状の基部と、該基部内に上下動可能に挿通される棒状の可動部と、該可動部の上方に設けられて大引きを下方から支持する支持部と、前記可動部を前記基部に対して所定高さ位置で固定する固定手段とから構成され、前記支持部は上端部に大引きの下面に当接する平面部を有する受け部材と、該受け部材と前記可動部との間に介装されるスプリングを備えてなることを特徴とする金属製床束。
【請求項２】
前記可動部の上端には筒状のケースが固定され、前記受け部材の下端部にはフランジが形成され、該フランジ及び前記スプリングが前記ケース内に配置されるとともに、該ケースには前記フランジの上方への抜けを防止する抜け止め部が形成されてなることを特徴とする請求項１記載の金属製床束。
【請求項３】
前記支持部とスプリングの間にスラスト軸受が介装されてなることを特徴とする請求項１又は２記載の金属製床束。
【請求項４】
前記固定手段が、前記可動部の外周面に形成された雄ねじ及び該雄ねじに螺着された上下一対のナットからなることを特徴とする請求項１乃至３いずれかに記載の金属製床束。
【請求項５】
前記固定手段が更に、前記可動部の外周面に縦方向に形成された溝と、前記基部の側面に形成された螺子孔に螺着されて先端が前記溝内に挿入されるボルトを含むことを特徴とする請求項４記載の金属製床束。
【請求項６】
前記基部の内底部に第２のスプリングが収納され、該第２のスプリングの上端部は前記可動部の下端部に当接してなることを特徴とする請求項１乃至５いずれかに記載の金属製床束。
【請求項７】
前記ケースの周面には縦長の貫通孔が形成され、該貫通孔に沿って目盛りが設けられてなることを特徴とする請求項１乃至６いずれかに記載の金属製床束。
【請求項８】
住宅の床下において大引きを支持する請求項１乃至７いずれかに記載の金属製床束と、
該金属製床束に取り付けられて前記支持部の上下変位量を検知する変位センサーと、
該変位センサーからの信号を受信する受信装置とからなり、
該受信装置は前記変位センサーにて検知された変位量が所定値を超えたときにその旨を報知することを特徴とする住宅の歪み検知システム。
【請求項９】
住宅の床下において大引きを支持する請求項１乃至７いずれかに記載の金属製床束と、
前記大引きに取り付けられて該大引きの傾き量を検知する傾斜センサーと、
該傾斜センサーからの信号を受信する受信装置とからなり、
該受信装置は前記傾斜センサーにて検知された傾斜量が所定値を超えたときにその旨を報知することを特徴とする住宅の歪み検知システム。
【発明の詳細な説明】
【技術分野】
【０００１】
本発明は、住宅の床下において、基礎の上に設置され大引きを支持する金属製の床束とこの床束を備えた住宅の歪み検知システムに関する。
【背景技術】
【０００２】
従来、住宅の床下において大引きを支持する床束には木製のものが用いられていた。
しかしながら、木製の床束は、湿気による腐食や白蟻による食害などにより経年劣化が生じるため、長期間に亘って安定した支持強度を保つことができないという問題があった。
また、設置の際には、基礎から大引きまでの高さを計測してから、別の場所で計測値に合わせた所定長さに木材を切断し、これを基礎上に設置して大引きを支持するという作業が行われるが、この作業は非常に手間がかかる上に、未熟練者の場合には寸法を正確に合わせるのが困難であった。
さらに、一旦設置した床束は、高さ調節ができないために、経年的に生じる木材の変形によって、床に軋みが生じる場合もあった。
【０００３】
このような問題点に鑑みて、木製の床束に代えて金属製の床束が利用されることも多くなっている。
従来の金属製床束は、垂直に配置された筒体に対して、上端部に大引き受け部を備えた棒状体を挿通し、この棒状体と筒体を螺子で螺合させることによって、棒状体を上下移動可能に構成したものが一般的であった（例えば、特許文献１参照）。
【０００４】
このような従来の金属製床束は、金属製であるために経年劣化が生じにくく、また強度の面でも木製のものよりも優れており、また螺子を利用して高さ調節ができるという利点もあるが、幾つかの大きな欠点があった。
先ず、束全体が金属の剛性体からなるため、振動や衝撃力が加わった場合にこれを吸収緩和することができず、耐震性の点で問題があった。また、寸法誤差等によって上方から加わる荷重に偏りが生じてもこれを吸収することが困難であるため、設置作業自体も困難となる上に、設置後においても局所的に応力集中が生じて座屈が生じ易くなるという問題があった。
さらに、床下で螺子を回して高さを合わせる作業は、非常に面倒で作業性が悪く、また設置の際に高さを正確に合わせたとしても、長期間にわたって徐々に進行する住宅の歪みに的確に対応することは困難であった。
【０００５】
また、近年では住宅内に様々なセンサーを取り付けて、住宅内に発生した各種の異常を検知するようにしたシステムが数多く提案されている（例えば、特許文献２参照）。
しかしながら、従来提案されているこの種のシステムは、防犯、火災発見、独居老人の異常検知などを目的としたものであって、経年的に生じる住宅自体の異常を検知することができるものではなかった。
【０００６】
【特許文献１】特開２００２−３５６９７５号公報
【特許文献２】特開２００３−１１５０８５号公報
【発明の開示】
【発明が解決しようとする課題】
【０００７】
本発明は、上記従来技術が抱える問題点を悉く解決すべくなされたものであって、長年に亘って優れた強度を維持することができるとともに振動や衝撃の吸収が可能であって、耐震性に非常に優れ、しかも高さ調節が容易であって設置作業の効率を大幅に高めることができるとともに、住宅の経時的劣化にも対応することができる金属製床束およびこの床束を備えた住宅の歪み検知システムを提供せんとするものである。
【課題を解決するための手段】
【０００８】
請求項１に係る発明は、垂直に立設される筒状の基部と、該基部内に上下動可能に挿通される棒状の可動部と、該可動部の上方に設けられて大引きを下方から支持する支持部と、前記可動部を前記基部に対して所定高さ位置で固定する固定手段とから構成され、前記支持部は上端部に大引きの下面に当接する平面部を有する受け部材と、該受け部材と前記可動部との間に介装されるスプリングを備えてなることを特徴とする金属製床束に関する。
請求項２に係る発明は、前記可動部の上端には筒状のケースが固定され、前記受け部材の下端部にはフランジが形成され、該フランジ及び前記スプリングが前記ケース内に配置されるとともに、該ケースには前記フランジの上方への抜けを防止する抜け止め部が形成されてなることを特徴とする請求項１記載の金属製床束に関する。
請求項３に係る発明は、前記支持部とスプリングの間にスラスト軸受が介装されてなることを特徴とする請求項１又は２記載の金属製床束に関する。
【０００９】
請求項４に係る発明は、前記固定手段が、前記可動部の外周面に形成された雄ねじ及び該雄ねじに螺着された上下一対のナットからなることを特徴とする請求項１乃至３いずれかに記載の金属製床束に関する。
請求項５に係る発明は、前記固定手段が更に、前記可動部の外周面に縦方向に形成された溝と、前記基部の側面に形成された螺子孔に螺着されて先端が前記溝内に挿入されるボルトを含むことを特徴とする請求項４記載の金属製床束に関する。
請求項６に係る発明は、前記基部の内底部に第２のスプリングが収納され、該第２のスプリングの上端部は前記可動部の下端部に当接してなることを特徴とする請求項１乃至５いずれかに記載の金属製床束に関する。
請求項７に係る発明は、前記ケースの周面には縦長の貫通孔が形成され、該貫通孔に沿って目盛りが設けられてなることを特徴とする請求項１乃至６いずれかに記載の金属製床束に関する。
【００１０】
請求項８に係る発明は、住宅の床下において大引きを支持する請求項１乃至７いずれかに記載の金属製床束と、該金属製床束に取り付けられて前記支持部の上下変位量を検知する変位センサーと、該変位センサーからの信号を受信する受信装置とからなり、該受信装置は前記変位センサーにて検知された変位量が所定値を超えたときにその旨を報知することを特徴とする住宅歪み検知システムに関する。
請求項９に係る発明は、住宅の床下において大引きを支持する請求項１乃至７いずれかに記載の金属製床束と、前記大引きに取り付けられて該大引きの傾き量を検知する傾斜センサーと、該傾斜センサーからの信号を受信する受信装置とからなり、該受信装置は前記傾斜センサーにて検知された傾斜量が所定値を超えたときにその旨を報知することを特徴とする住宅歪み検知システムに関する。
【発明の効果】
【００１１】
請求項１に係る発明によれば、金属製であるため優れた強度を長年に亘って維持することができ、また可動部を上下動させることで高さ調節が可能であるとともに、大引きを受ける受け部材と可動部の間にスプリングが介装されているため、スプリングの弾性力により設置時の微小な傾きや誤差を吸収することが可能となり、設置作業が容易となる上に住宅の経時的な歪み等の変化にも対応することができ、長期間に亘って安全且つ確実に住宅の床を支えることが可能な床束となる。
請求項２に係る発明によれば、受け部材に加わる力を確実にスプリングへと伝達することができるとともに、受け部材の上端部位置を規制して高さ設定を容易且つ確実に行うことが可能となる。
請求項３に係る発明によれば、支持部とスプリングの間にスラスト軸受が介装されているので、支持部がスプリングに対して回転可能となり、設置時において支持部に加わる力の偏りを回転によって吸収分散させることができ、設置作業が容易となる上に、経時的な荷重偏心にも対応することができ高い支持強度を保つことができる。
【００１２】
請求項４に係る発明によれば、可動部の基部に対する下限位置を、雄ねじと一対のナットによって確実且つ強固に設定維持することができる。
請求項５に係る発明によれば、溝に対してボルトを挿入することで、ナットによる固定の前に、可動部の基部に対する上下位置を仮固定することが可能となるから、作業性に優れたものとなる。
請求項６に係る発明によれば、第２のスプリングによって可動部を常に上方向へと付勢することができるので、スプリングの上方への付勢力を利用して簡単に受け部材を大引きに密接させることが可能となり、設置作業を極めて効率的に行うことができる。
請求項７に係る発明によれば、貫通孔から見えるスプリングと目盛りによって、設定高さを視覚的に確実に把握することが可能となり、基準高さの設定等を簡単に行うことができるとともに、経年的に生じる住宅の歪みを補正するための作業も容易となる。
【００１３】
請求項８に係る発明によれば、住宅の経時的な劣化に伴って生じる住宅の歪みを、支持部に取り付けた変位センサーによって早急に検知することができるので、検知後に支持部の位置を再調整することで、住宅の傾きや倒壊を未然に防止することが可能となる。
請求項９に係る発明によれば、住宅の経時的な劣化に伴って生じる住宅の傾きを、大引きに取り付けた傾斜センサーによって早急に検知することができるので、検知後に支持部の位置を再調整することで、住宅の傾きや倒壊を未然に防止することが可能となる。
【発明を実施するための最良の形態】
【００１４】
以下、本発明に係る金属製床束及びこの床束を備えた住宅の歪み検知システムの好適な実施形態について、図面を参照しつつ説明する。
図１は本発明に係る金属製床束を示す図であって、（ａ）は正面外観図、（ｂ）は側面断面図、（ｃ）はＡ−Ａ線断面図である。
本発明に係る金属製床束（１）は、垂直に立設される筒状の基部（２）と、この基部（２）内に上下動可能に挿通される棒状の可動部（３）と、この可動部（３）の上方に設けられて大引きを下方から支持する支持部（４）と、前記可動部（３）を前記基部（２）に対して所定高さ位置で固定する固定手段とから構成される。
【００１５】
基部（２）は、住宅の床下において基礎上に垂直に立設される円筒状の部材である。
基部（２）の上端部は開放されているが、下端部は一体に固着された平板状の基礎板（２１）によって塞がれており、この基礎板（２１）の下面を覆うように略平板状の耐震ゴム（２２）が着脱可能に取り付けられている。
また、基部（２）のやや上方寄り位置の側面には、貫通螺子孔（２３）が形成されており、この螺子孔（２３）には蝶ボルト（７）が螺着されている。
【００１６】
可動部（３）は円柱棒状の部材であって、その下端部が上記基部（２）内に挿入され、上端部には円板（３１）が固着されている。
また、可動部（３）の外面には雄ねじが設けられており、この雄ねじには上下一対のナット（５）が螺着されている。
これら雄ねじと上下一対のナット（５）は、可動部（３）の基部（２）に対する上下位置を固定する固定手段を構成する。尚、これらナット（５）により固定されるのは可動部（３）の下限位置である。即ち、図示の如く、下方のナットの下面を基部（２）の上端面に当接させた状態で上下のナットを密接させてロックナットの状態とすることによって、可動部（３）が基部（２）に対してそれ以上は下降できなくなり、下限位置が固定される。
【００１７】
また、可動部（３）の外周面には、縦方向に延びるが上下端部までは達しない所定長さの溝（６）が形成されており、この溝（６）には前記基部（２）の螺子孔（２３）に螺着された蝶ボルト（７）の先端が挿入されている。
これら溝（６）と蝶ボルト（７）は、可動部（３）の基部（２）に対する上下位置を固定する固定手段を構成する。尚、これら溝（６）と蝶ボルト（７）は、上記ナット（５）とは異なり、可動部（３）を上下方向のある特定位置に固定するためのものである。即ち、蝶ボルト（７）を強く締めてその先端を溝（６）の奥面に高圧力で密接させることで、可動部（３）は基部（２）に対して上方向にも下方向にも移動できなくなる。そして、反対に蝶ボルト（７）を緩めると、可動部（３）を基部（２）に対して自由に上下動させることができる。
また、溝（６）に蝶ボルト（７）の先端が挿入されている状態では、基部（２）に対する可動部（３）の回転が防止される。
可動部（３）が上下動可能な範囲は、溝（６）の長さにより規定することが可能であり、例えば５０〜１００ｍｍ程度、好ましくは６０〜７０ｍｍ程度とすることができるが、必ずしもこの範囲に限定されるものではない。
【００１８】
支持部（４）は、大引きを下面から受ける受け部材（４１）と、この受け部材（４１）の下面と前記可動部（３）の上端部に固着された円板（３１）の上面との間に介装されるスプリング（４２）を備えている。
【００１９】
受け部材（４１）は、円筒状の本体部（４ａ）とその上端部に設けられた平板部（４ｂ）とから構成され、本体部（４ａ）の下端部には拡径されたフランジ（４ｃ）が形成されている。
平板部（４ｂ）は、大引きを受ける部分であって、その面積は重量バランスと取り扱い性を阻害しない範囲で大きい方が好ましく、例えば100mm×100mmの正方形に形成することができる。また、場合によっては、平板部（４ｂ）の上方に更に大面積で大引きを受けることができるアタッチメントを取り付け可能とし、このアタッチメントを現場で取り付けて大引きを受けるようにしてもよい。
【００２０】
スプリング（４２）は、コイルバネからなり上記受け部材（４１）を常に上方へと付勢している。
このスプリング（４２）の材質は、例えばSWOSC-V（JIS G 3561）等の高強度材料からなる。また、ばね定数については100〜400N／mm程度のもの、好ましくは125N／mm程度のものが用いられる。
【００２１】
可動部（３）の上端に固着された円板（３１）の上には円筒状のケース（８）が固定されている。
このケース（８）は、前記スプリング（４２）と受け部材（４１）のフランジ（４ｃ）を内部に収納するケースであって、その上端部は内方に延出されてフランジ（４ｃ）の上方への抜けを防止する抜け止め部（８１）を形成している。また、その下端部は外方に延出されており、この延出部に挿通されたボルト（９）によって円板（３１）と固定されている。
【００２２】
フランジ（４ｃ）の下面にはスラスト軸受（１０）が埋設されており、受け部材（４１）はこのスラスト軸受（１０）を介してスプリング（４２）と接している。
これによって、受け部材（４１）はスプリング（４２）に対して左右いずれの方向にも自在に且つ円滑に回動可能となる。
そのため、設置時において支持部（４）に加わる力が偏っていても、この偏った力を回転によってスプリング（４２）へと吸収分散させながら伝達することができ、設置作業が容易となる上に、経時的に生じる荷重の偏りにも対応することが可能となり、高い支持強度を保つことができる。
【００２３】
また、基部（１）の内底部には第２のスプリング（１１）が収納されている。
この第２のスプリング（１１）の上端部は可動部（３）の下端部に当接しており、可動部（３）を常に上方へと付勢している。
これによって、基礎上に基部（１）を設置した状態で蝶ボルト（７）を緩めると、可動部（３）及び支持部（４）がバネ力によって自然に上方へと押し上げられて受け部材（４１）が大引きの下面へと密接するので、従来のような面倒な高さ調節作業を行わずとも自動的に最適な高さに設定することができる。
この第２のスプリング（１１）は、前記スプリング（４２）ほど強力である必要はなく、材料としては例えばSWP-A（JIS G 3522）等が用いられ、ばね定数については例えば３〜４N／mm程度のものが用いられる。
【００２４】
さらに、ケース（８）の周面には縦長の貫通孔（８２）が形成され、該貫通孔（８２）に沿って目盛り（８３）が設けられている。これにより、貫通孔（８２）から見えるスプリング（４２）と目盛り（８３）の位置関係から、設定高さを視覚的に確実に把握することが可能となり、基準高さの設定等を容易に行うことができる。また、経年的に生じる住宅の歪み量を容易且つ的確に把握することができるため、歪みの発生を把握した時点でナット（５）を下方へと移動操作して歪み量だけ可動部（２）を上昇させる補正作業を行うことが可能となる。
【００２５】
図２は本発明に係る金属製床束（１）の使用状態の一例を示す図である。
図示の如く、本発明に係る金属製床束（１）は、住宅の床下において、床板（１９）を支持する大引き（１３）を下方から支えるように基礎（１２）又は土台の上に垂直に立設される。
このように設置された金属製床束（１）は、金属製であるため優れた強度を有するのは勿論のこと、スプリングの弾性力により設置時の微小な傾きや誤差、更には衝撃や振動を吸収することが可能となり、設置作業が容易となる上に住宅の経時的な歪み等の変化にも対応することができ、長期間に亘って安全且つ確実に住宅の床を支持することができる。
【００２６】
図３は本発明に係る金属製床束を備えた住宅の歪み検知システムの第1実施形態を示す図である。
このシステムは、上記構成からなる金属製床束（１）が床下において大引き（１３）を支持するように設置された住宅において適用される。
金属製床束（１）には支持部（４）の上下変位量を検知する変位センサー（１４）が取り付けられている。この変位センサー（１４）の取り付け位置は、支持部（４）の上下変位量を検知することができれば特に限定されず、例えばケース（８）や受け部材（４１）に取り付けることができる。また、設置されている全ての金属製床束（１）に対して取り付けることが好ましい。
【００２７】
変位センサー（１４）は、有線又は無線からなる通信回線（２０）を介して受信装置（１５）と接続されている。
受信装置（１５）は、変位センサー（１４）から発信される変位量の情報信号を受信し、この受信された情報（変位量）が予め設定された所定値を超えたときには、視覚的又は聴覚的に把握可能なブザーやランプなどの任意の報知手段によって、居住者等にその旨を報知する。
受信装置（１５）は、図示の如く変位センサー（１４）が取り付けられた住宅の室内に設置してもよいが、住宅から遠く離れた外部の管理会社等に設置してもよい。
【００２８】
このようなシステムによれば、住宅の経時的な劣化に伴って生じる歪みを、支持部に取り付けた変位センサーによって早期に検知することができるので、検知後にナット（５）を操作して金属製床束（１）の支持部の位置を上方へと再調整することで、住宅の傾きや倒壊を未然に防止することが可能となる。
【００２９】
図４は本発明に係る金属製床束を備えた住宅の歪み検知システムの第２実施形態を示す図である。
このシステムは、上記構成からなる金属製床束（１）が床下において大引き（１３）を支持するように設置された住宅において適用される。
大引き（１３）にはその傾斜量（水平からの傾き量（傾き角度））を検知する傾斜センサー（１６）が取り付けられている。この傾斜センサー（１６）の取り付け位置は、大引き（１３）の傾斜量を検知することができれば特に限定されないが、金属製床束（１）により支持された大引き（１３）の全てに取り付けることが好ましく、また取り付け位置については金属製床束（１）の近傍に取り付けることが好ましい。
【００３０】
傾斜センサー（１６）は、有線又は無線からなる通信回線（２０）を介して受信装置（１５）と接続されている。
受信装置（１５）は、傾斜センサー（１６）から発信される傾斜量の情報信号を受信し、この受信された情報（傾斜量）が予め設定された所定値を超えたときには、視覚的又は聴覚的に把握可能なブザーやランプなどの任意の報知手段によって、居住者等にその旨を報知する。
受信装置（１５）は、図示の如く傾斜センサー（１４）が取り付けられた住宅の室内に設置してもよいが、住宅から遠く離れた外部の管理会社等に設置してもよい。
【００３１】
このシステムによれば、住宅の経時的な劣化に伴って生じる歪みを、傾斜センサーによって早期に検知することができるので、検知後にナット（５）を操作して金属製床束（１）の支持部の位置を上方へと再調整することで、住宅の傾きや倒壊を未然に防止することが可能となる。
【実施例】
【００３２】
本発明に係る金属製床束の軸方向圧縮耐荷重を測定した。
金属製床束としては、図１に示す構造のバネ定数が異なる２種類のものを３箇ずつ用意し、バネ定数が小さい方を試験体Ａ（バネ定数：125N／mm）、大きい方を試験体Ｂ（バネ定数：400N／mm）とした。また、各部材の材質は、基部（２）、可動部（３）、受け部材（４１）、ナット（５）、蝶ボルト（７）についてはSS400、ケース（８）についてはS45CM、ボルト（９）についてはSCM435M、２つのスプリングについては上述したものを使用した。
測定方法は、図５（ａ）に示したように、金属製床束（１）を床面上に設置した鋼製耐圧板（１７）の上に立設した状態で、受け部材（４１）の平板部（４ｂ）上に載置した鋼製耐圧板（１８）を介して2000kN万能試験機により上方から鉛直下方に圧縮力を加えた。尚、図５（ｂ）は（ａ）のＡ−Ａ線断面図である。
変位センサー（D.T.1〜D.T.6）を図示の位置に取り付け、加えられた圧縮荷重と共に各取り付け位置の変位量を測定した。
【００３３】
結果を表１に示す。
【表１】
2005155037.tif 000003
尚、表１において、Pmaxは最大荷重、δ１は全体の変形量、δ２はスプリングの変形量、δ３は基部の変形量であり、δ１〜δ３は下記の式により求めた。また、バネ定数は得られたＰ−δ曲線から求めたものである。
δ１＝（Ｄ１＋Ｄ２＋Ｄ３＋Ｄ４）／４
δ２＝δ１−（Ｄ５＋Ｄ６）／２
δ３＝（Ｄ５＋Ｄ６）／２
尚、式中のＤｉは図５に示す位置に設置した変位センサー（D.T.1〜D.T.6）の読みによる変位量（圧縮変位を正とする）を示す。
【００３４】
表１に示すように、最大荷重（軸方向圧縮耐荷重）の平均値は、試験体Ａが112ｋＮ、試験体Ｂが111ｋＮであり、両者共に極めて高い値を示した。
尚、試験体Ａについては、Ｐ＝３〜４ｋＮ（δ２＝約20mm）時にスプリングが作動限界に達し、急激に荷重が上昇した。最大荷重は基部の座屈により決まった。また、試験体Ｂについては、Ｐ＝８〜９ｋＮ（δ２＝約16mm）時にスプリングが作動限界に達し、急激に荷重が上昇した。最大荷重は基部の座屈により決まった。座屈箇所はいずれも図６に示すａ，ｂの位置であった。
【産業上の利用可能性】
【００３５】
本発明は、住宅の床下の大引きを支持するための床束として、さらにこの床束を用いた住宅の歪みを早期に検知するためのシステムとして利用される。
【図面の簡単な説明】
【００３６】
【図１】本発明に係る金属製床束を示す図であって、（ａ）は正面外観図、（ｂ）は側面断面図、（ｃ）はＡ−Ａ線断面図である
【図２】本発明に係る金属製床束の使用状態の一例を示す図である。
【図３】本発明に係る金属製床束を備えた住宅の歪み検知システムの第１実施形態を示す図である。
【図４】本発明に係る金属製床束を備えた住宅の歪み検知システムの第２実施形態を示す図である。
【図５】本発明に係る金属製床束の軸方向圧縮耐荷重の測定方法を示す図である。
【図６】測定時の座屈箇所を示す図である。
【符号の説明】
【００３７】
１      金属製床束
２      基部
３      可動部
４      支持部
４１    受け部材
４２    スプリング
４ａ    本体部
４ｂ    平板部
４ｃ    フランジ
５      ナット
６      溝
７      蝶ボルト
８      ケース
８１    抜け止め部
８２    貫通孔
８３    目盛り
１０    スラスト軸受
１１    第２のスプリング
１３    大引き
１４    変位センサー
１５    受信装置
１６    傾斜センサー
【図１】
2005155037.tif 000004
【図２】
2005155037.tif 000005
【図３】
2005155037.tif 000006
【図４】
2005155037.tif 000007
【図５】
2005155037.tif 000008
【図６】
2005155037.tif 000009